(57)【要約】【課題】梯子を使った高所作業を安全にかつ効率良く行うことができる作業用枠台を提供することにある。【解決手段】筒状の囲繞枠２と、この囲繞枠２内の下部に起倒可能に設けた載置台部３と、囲繞枠２の上部に設けた引掛け部４とを備え、囲繞枠２は、複数の杆部材を接続した直方体形であって、前枠部７と後枠部８とを接続する杆部材６をヒンジ接続して、前枠部７と後枠部８とを杆部材６を介して折り畳み近接できるようにしてある。【選択図】  図１
2005133363.tif 000002
【特許請求の範囲】
【請求項１】
筒状の囲繞枠と、この囲繞枠内の下部に起倒可能に設けた載置台部と、囲繞枠の上部に設けた引掛け部とを備えていることを特徴とする作業用枠台。
【請求項２】
囲繞枠は、複数の杆部材を接続した直方体形であって、前枠部と後枠部とを接続する杆部材をヒンジ接続して、前枠部と後枠部とを杆部材を介して折り畳み近接できるようにしたことを特徴とする請求項１記載の作業用枠台。
【発明の詳細な説明】
【技術分野】
【０００１】
この発明は、梯子を使って高所で作業をするときに使用する作業用枠台に関するものである。
【背景技術】
【０００２】
一般に庭木の剪定作業や、建物の高所の窓拭きや壁面補修、或いは屋外及び屋外での配線工事等の作業を行う場合には、一本梯子と呼ばれている伸縮しない梯子や、繋ぎ梯子（二連伸縮梯子、三連伸縮梯子等）と呼ばれている伸縮梯子を用いて前記の作業を行っている。
【０００３】
この場合、高所作業を行うにあたっては所望箇所に梯子を立て、作業で使用する道具等を片手で持つとともにもう一方の手で梯子の横杆（階段）を握って梯子の上部まで登り、片手で梯子を持ちながら或いは両手を使って作業を行っている。
【０００４】
しかしながら、片手で梯子を握りもう一方の手で作業を行うのは、危険でもあり、また動ける作業範囲も限られて効率良く作業を行うことができなかった。
【０００５】
また、作業者は両手を使って安全にかつ効率良く作業を行うために、安全ベルトを身に付けて梯子の上部まで登り、梯子の上部の適当な横杆（階段）の上に足を載せて立ち、安全ベルトの係止紐を梯子以外の箇所に掛止して作業を行っている。
【０００６】
この場合、片手で梯子を握って作業をする前記した例に比べれば、ある程度梯子の上で移動でき両手も使えて多少は作業効率を上げることができる。しかし、係止紐で動ける範囲が制約されているので動き辛く効率良く作業を行えるかと言うと疑問であった。また、安全ベルトを使用しているからと言って梯子の上で移動したりすると、梯子の足を掛けた横杆（階段）から足を滑らせてしまうといった心配もあった。
【０００７】
また、下記の公報に記載されているような脚立と一体に形成された手摺付作業台もあるが、手摺付作業台を一般に数多く市販され使用されている各種の梯子に容易に着脱して使用できるものではなかった。
【０００８】
特許文献としては次のような文献がある。
【特許文献１】特開２００３−２３９５２６号公報
【発明の開示】
【発明が解決しようとする課題】
【０００９】
本発明は前記のような問題点に鑑みて開発されたものであり、その目的は梯子を使った高所作業を安全にかつ安心して効率良く行うことができる作業用枠台を提供することにある。
【課題を解決するための手段】
【００１０】
前記のような目的を達成するために、請求項１記載の本発明の作業用枠台は、筒状の囲繞枠と、この囲繞枠内の下部に起倒可能に設けた載置台部と、囲繞枠の上部に設けた引掛け部とを備えていることを特徴とする構成である。
【００１１】
また、請求項２記載の本発明の作業用枠台は、請求項１記載の作業用枠台において、囲繞枠は、複数の杆部材を接続した直方体形であって、前枠部と後枠部とを接続する杆部材をヒンジ接続して、前枠部と後枠部とを杆部材を介して折り畳み近接できるようにしたことを特徴とする構成である。
【発明の効果】
【００１２】
本発明の作業用枠台は、庭木の剪定作業や建物の高所の窓拭き作業や壁面作業等の高所作業を、梯子を使って行う際に、囲繞枠に設けた掛止部を、所望の箇所に立て掛けた梯子の上部の横杆（階段）に掛け、囲繞枠の下部の載置台部を倒して他端部を囲繞枠の掛止部に掛ける。このようにして、この載置台部の上に立ったり、或いは座ったりして作業をすることにより、両手を使って作業ができるととともに、囲繞枠内で身体を自由に動かすことができるので、広い範囲の作業を迅速にかつ効率良く行うことができる。勿論、梯子が倒れないように作業を行うには、梯子を安全な傾斜角度に設置することが肝心である。
【００１３】
また、本発明の作業用枠台は、前枠部と後枠部とを杆部材を介しヒンジ接続した構造でもあるので、使用しない時には囲繞枠を折り畳んで嵩張ることなく保管しておくことができ、また、持ち運びも嵩張らずに容易に行うことができる。
【発明を実施するための最良の形態】
【００１４】
以下、本発明を実施するための最良の形態を図に示す例に基づいて説明する。
図１〜図６は本発明に係る作業用枠台に関する図であって、この作業用枠台１は、直方体形の筒状の囲繞枠２と、この囲繞枠２の下部に設けた載置台部３と、囲繞枠２の上部に設けた引掛け部４とからなる。
【００１５】
より具体的に説明すると、囲繞枠２は、適宜の太さのアルミ製の複数の杆部材である管材５（縦杆）と管材６（横杆）および桟材５ａ、６ａとによって長方形状に形成した前枠部７と、この前枠部７と略同じ構成からなる後枠部８と、前枠部７と後枠部８とを前記管材６（横杆）でヒンジ接続するための頭部９ａ付きピン９とによって構成されている。
【００１６】
前枠部７と後枠部８との複数箇所の同じ高さ位置には、ピン９を挿入する貫通孔１０(図２参照)が形成されている。そして各管材６（横杆）の両端部１１(図２、図３参照)は、平たく形成され、かつ端１１ａを半円状に形成されている。この各端部１１にもピン９を挿入する孔１２が形成されている。
【００１７】
各管材６（横杆）の両端部１１は、前枠部７並びに後枠部８の各管材５（縦杆）の外側面に当接し、ピン９を孔１２、貫通孔１０に通して突き抜けた下端９ｂを潰して抜けないようにし、前記各管材５（縦杆）にヒンジ接続してある。
【００１８】
さらに、後枠部８の各管材６（横杆）の端部１１をヒンジ接続した箇所の下側には、管材支持部材１３が後枠部８と対向する前枠部７の方向に、後枠部８の管材５（縦杆）に対して直角となるように固着してある。
【００１９】
この管材支持部材１３は、横断面がＬ字形(図４参照)で、管材６（横杆）を下側で支持するとともに外側への動きも阻止できる。管材支持部材１３が後枠部８に固着されていることにより、各管材６（横杆）が後枠部８の管材５（縦杆）に対して直角方向より下に下がることがない。したがって、使用時には囲繞枠２を直方体状にして使用することができる。
【００２０】
後枠部８の上部には両側近傍にフック状の引掛け部４が設けてあり、引掛け部４を梯子１６(図６参照)の上部の横杆１７に掛けて作業用枠台１を梯子１６に吊下げられるようにしてある。
【００２１】
前記囲繞枠２の下部に設けた載置台部３は、前枠部７並びに後枠部８と同じ位の長さで、
管材６（横杆）より少し短い幅の板状部材１４であって、一端部３ａを筒状に形成して管材６（横杆）に回動自在に係止し、他端部３ｂにフック部１５を設けて、倒した時に囲繞枠２の下部の、この例の場合の掛止部となる管材６（横杆）に掛止できるようにしてある。
【００２２】
上述のような構成からなる作業用枠台１にあっては、通常は(図５参照)ヒンジ接続箇所から折り畳んで前枠部７と後枠部８とを重ねるようにすれば、運び易くまた保管もし易い。
【００２３】
そしてこの作業用枠台１を使って高所作業を行う場合は、梯子１６を所望の箇所に立て、この梯子１６の傍で、前記のように折り畳んだ状態から囲繞枠２を直方体状にするとともに、板状部材１４を起こして囲繞枠２の片方の管材６（横杆）側に立てておく。この状態にすることにより囲繞枠２は上下方向に貫通した筒状となる。
【００２４】
作業者は、このようにした囲繞枠２の中に入り、この作業用枠台１を肩で担ぐなり片手で持つなりして梯子１６を登る。そして梯子１６(図６参照)の上部に達したら所望の横杆１７に引掛け部４を掛けて、作業用枠台１を梯子１６の上部に吊るす。また、立ててあった板状部材１４を倒して囲繞枠２の下部の管材６（横杆）にフック部１５を掛止する。このようにした状態で板状部材１４の上に立って、両手を使って所望の高所作業を行えばよい。勿論、作業中に梯子１６が倒れないように十分に傾けて立てておくことが肝心である。
【００２５】
また、梯子１６を立てる前に、上部の横杆１７に作業用枠台１の引掛け部４を掛けて梯子１６を立ててもよい。この場合、板状部材１４が倒れた状態になっていれば、梯子１６を下から上がって行って、囲繞枠２の下部を蓋した状態の板状部材１４を一旦押し上げ、囲繞枠２の中に作業員の身体を入れ、その後、板状部材１４を倒して、フック部１５を管材６（横杆）に掛止する。このようにした後は、前記と同様にして高所作業をすればよい。
【００２６】
なお、本発明に係る作業用枠台の囲繞枠は、ヒンジ接続した折り畳みできる構造に限らず、折り畳めない筒状の枠体であってもよい。また、囲繞枠は、直方体に限らず円筒形、または多角筒形の枠体であってもよい。また、載置台部３を倒したときに先端部を掛止するための掛止部は、図示の例では囲繞枠２の下部の管材６（横杆）が掛止部であるが、この管材６（横杆）に掛止部となる別の載置部材を固着して、この載置部材に載置台部３の先端部を載置して支持させる構成のものであってもよい。さらに、囲繞枠を構成する杆部材は、管材に限らず軸材であってもよい。
【図面の簡単な説明】
【００２７】
【図１】本発明に係る作業用枠台の斜視図である。
【図２】本発明に係るヒンジ接続箇所の説明図である。
【図３】本発明に係るヒンジ接続箇所の説明図である。
【図４】本発明に係る管材６（横杆）と管材支持部材１３との関係を示す図３の矢視の横断面の説明図である。
【図５】本発明に係る作業用枠台を折り畳んだ状態の説明図である。
【図６】本発明に係る作業用枠台を梯子の上部に取り付けた状態の説明図である。
【符号の説明】
【００２８】
１      作業用枠台
２      囲繞枠
３      載置台部
４      引掛け部
５      管材（杆部材）
６      管材（杆部材）
７      前枠部
８      後枠部
１５    掛止部
１６    梯子
１７    横杆
【図１】
2005133363.tif 000003
【図２】
2005133363.tif 000004
【図３】
2005133363.tif 000005
【図４】
2005133363.tif 000006
【図５】
2005133363.tif 000007
【図６】
2005133363.tif 000008